(57)【要約】【課題】  現在オフィスで広く利用されているシート給シートのプリンタで印字出力が可能であって、簡単な作業で製袋が可能で、印字した情報を隠蔽し、かつ、開封作業が容易である。【解決手段】  折り返し部がある印字情報を隠蔽可能な帳票であって、基材の片面に設けられた粘着剤層と、粘着剤層に剥離可能に貼り合せられた剥離シートとを備えたＡ４サイズ等のタックシートで、剥離シートの左右両側と下側の三辺の周縁部に、剥離シートの一部を除去するハーフカット等を設けている。印字後に連続して剥離シートを除去した後、折り返し部で折り返すことで製袋可能であり、開封用ミシン目が形成されているため、開封作業が容易であるため、上記課題を解決する。【選択図】        図１
2006021324.tif 000002
【特許請求の範囲】
【請求項１】
基材と、前記基材の片面に設けられた粘着剤層と、前記粘着剤層に剥離可能に貼り合せられた剥離シートと、前記剥離シートの少なくとも一辺の周縁部に設けられ、前記剥離シートの一部を除去する分離線とを備え、前記剥離シートを前記分離線から剥離して前記粘着剤層の一部を表出させた表出粘着部を形成し、前記表出粘着部を含む部分を所定の位置で前記剥離シートが内側となるように折返して折返し部を形成し、前記折返し部の対向面を前記表出粘着部で貼り合わせて封緘すること、を特徴とする印字情報を隠蔽可能な帳票。
【請求項２】
請求項１に記載の印字情報を隠蔽可能な帳票において、前記折返し部は、その対向面に隠蔽情報を印字する隠蔽情報印字領域を備えること、を特徴とする印字情報を隠蔽可能な帳票。
【請求項３】
請求項１又は請求項２に記載の印字情報を隠蔽可能な帳票において、前記折返し部は、前記隠蔽情報に関連する金銭、小切手、クーポン券又は商品券に代表される金券類を封入可能であること、を特徴とする印字情報を隠蔽可能な帳票。
【請求項４】
請求項１から請求項３までのいずれか１項に記載の印字情報を隠蔽可能な帳票において、前記折返し部は、前記基材側であって前記表出粘着部の内縁側に、開封用分離線が形成されていること、を特徴とする印字情報を隠蔽可能な帳票。
【請求項５】
請求項１から請求項４までのいずれか１項に記載の印字情報を隠蔽可能な帳票において、前記折返し部を形成した状態で、前記剥離シート側に印字した情報の一部が外部から目視可能な第１の公開情報印字領域を備えること、を特徴とする印字情報を隠蔽可能な帳票。
【請求項６】
請求項１から請求項５までのいずれか１項に記載の印字情報を隠蔽可能な帳票において、前記基材の表出面に第２の公開情報印字領域を備え、前記隠蔽情報印字領域及び／又は前記第１の公開情報印字領域と、前記第２の公開情報印字領域とを、両面印字可能であること、を特徴とする印字情報を隠蔽可能な帳票。
【請求項７】
請求項１から請求項６までのいずれか１項に記載の印字情報を隠蔽可能な帳票において、前記折返し部は、前記剥離シートと前記基材とが剥離不用であること、を特徴とする印字情報を隠蔽可能な帳票。
【請求項８】
基材と、前記基材の片面に設けられた粘着剤層と、前記粘着剤層に剥離可能に貼り合せられた剥離シートであって、前記粘着剤層に貼り合せられた前記剥離シートの裏面は印字可能であるタックシートを備え、前記剥離シートの下方の三辺の周縁部に設けられた剥離シートの一部を除去する分離線と、前記分離線の下方の二辺のコーナーに角丸部を設け、前記剥離シートを前記分離線から剥離して、前記粘着剤層の一部を表出させた表出粘着部を形成し、前記表出粘着部を含む部分を所定の位置で前記剥離シートの裏面が内側となるように折り返して折返し部を形成し、前記折返し部の対向面を前記表出粘着部で貼り合わせて封緘してなること、を特徴とする印字情報を隠蔽可能な帳票。
【請求項９】
請求項８に記載の印字情報を隠蔽可能な帳票において、前記折返し部によるそれぞれの対向面に隠蔽情報を印字する隠蔽情報印字領域を備えること、を特徴とする印字情報を隠蔽可能な帳票。
【請求項１０】
請求項８又は請求項９に記載の印字情報を隠蔽可能な帳票において、前記折返し部は、前記隠蔽情報に関連する金銭、小切手、クーポン券又は商品券に代表される金券類を封入可能であること、を特徴とする印字情報を隠蔽可能な帳票。
【請求項１１】
請求項８から請求項１０までのいずれか１項に記載の印字情報を隠蔽可能な帳票において、封緘後には左右に縦ミシン目による開封用分離線が形成され、左右の不要部が容易に分離可能となる開封用分離線があること、を特徴とする印字情報を隠蔽可能な帳票。
【請求項１２】
請求項８から請求項１１までのいずれか１項に記載の印字情報を隠蔽可能な帳票において、前記折返し部を形成した状態で、前記剥離シート側に印字した情報の一部が外部から目視可能な第１の公開情報印字領域を備えること、を特徴とする印字情報を隠蔽可能な帳票。
【請求項１３】
基材と、前記基材の片面に設けられた粘着剤層と、前記粘着剤層に剥離可能に貼り合わせた剥離シートを備えた帳票であって、前記粘着剤層に貼り合わせた前記剥離シートの裏面に印字部を設け、前記剥離シートの下方の三辺の周縁部に剥離シートの一部を除去する分離線を設け、前記分離線の下方の二辺のコーナーに角丸部を設けることにより、前記剥離シートを前記分離線から剥離した際は、前記粘着剤層の一部を表出させる表出粘着部が形成され、前記表出粘着部を含む部分を所定の位置で前記剥離シートの裏面が内側となるように折り返す折返し部を形成することで、前記折返し部の対向面と前記表出粘着部とを貼り合わせて封緘し、前記印字部を隠蔽した後には連続して開封可能な開封用分離線が形成されていること、を特徴とする印字情報を隠蔽可能な帳票。
【請求項１４】
請求項１３に記載の印字情報を隠蔽可能な帳票において、前記折返し部によるそれぞれの対向面に隠蔽情報を印字する隠蔽情報印字領域を備えること、を特徴とする印字情報を隠蔽可能な帳票。
【請求項１５】
請求項１３又は請求項１４に記載の印字情報を隠蔽可能な帳票において、前記折返し部は、前記隠蔽情報に関連する金銭、小切手、クーポン券又は商品券に代表される金券類を封入可能であること、を特徴とする印字情報を隠蔽可能な帳票。
【請求項１６】
請求項１３から請求項１５までのいずれか１項に記載の印字情報を隠蔽可能な帳票において、前記折返し部は、前記基材側であって前記表出粘着部の内縁側に、コーナー部が角丸よりなり、連続して開封可能な開封用分離線が形成されていること、を特徴とする印字情報を隠蔽可能な帳票。
【請求項１７】
請求項１３から請求項１６までのいずれか１項に記載の印字情報を隠蔽可能な帳票において、前記折返し部を形成した状態で、前記剥離シート側に印字した情報の一部が外部から目視可能な第１の公開情報印字領域を備えること、を特徴とする印字情報を隠蔽可能な帳票。
【請求項１８】
基材と、前記基材の片面に設けられた粘着剤層と、前記粘着剤層に剥離可能に貼り合わせた剥離シートを備えた帳票であって、前記基材より一回り大きい部分を有する剥離シートを備え、前記粘着剤層に貼り合わせた前記剥離シートの裏面は印字部を設け、前記剥離シートの下方の三辺の周縁部に剥離シートの一部を除去する分離線を設け、前記剥離シートを前記分離線から剥離した際は、前記粘着剤層の一部を表出させた表出粘着部が形成され、前記表出粘着部を含む部分を所定の位置で前記剥離シートの裏面が内側となるように折り返す折返し部を形成することで、前記折返し部の対向面と前記表出粘着部とを貼り合わせて封緘し、前記印字部を隠蔽するようにしたこと、を特徴とする印字情報を隠蔽可能な帳票。
【請求項１９】
請求項１８に記載の印字情報を隠蔽可能な帳票において、分離線の下方二辺のコーナーに角丸部を設けてあること、を特徴とする印字情報を隠蔽可能な帳票。
【請求項２０】
請求項１８に記載の印字情報を隠蔽可能な帳票において、前記折返し部によるそれぞれの対向面に隠蔽情報を印字する隠蔽情報印字領域を備えること、を特徴とする印字情報を隠蔽可能な帳票。
【請求項２１】
請求項１８及び請求項１９に記載の印字情報を隠蔽可能な帳票において、前記折返し部は、前記隠蔽情報に関連する金銭、小切手、クーポン券又は商品券に代表される金券類を封入可能であること、を特徴とする印字情報を隠蔽可能な帳票。
【請求項２２】
請求項１８から請求項２１に記載の印字情報を隠蔽可能な帳票において、封緘後には左右に縦ミシン目による開封用分離線が形成され、左右の不要部が容易に分離可能となる開封用分離線があること、を特徴とする印字情報を隠蔽可能な帳票。
【請求項２３】
請求項１８から請求項２２に記載の印字情報を隠蔽可能な帳票において、前記折返し部を形成した状態で、前記剥離シート側に印字した情報の一部が外部から目視可能な第１の公開情報印字領域を備えること、を特徴とする印字情報を隠蔽可能な帳票。
【請求項２４】
基材と、前記基材の片面に設けられた粘着剤層と、前記粘着剤層に剥離可能に貼り合わせた剥離シートを備えた帳票であって、前記基材より一回り大きい部分を有する剥離シートを備え、前記粘着剤層に貼り合わせた前記剥離シートの裏面は印字部を設け、前記剥離シートの下方の三辺の周縁部に剥離シートの一部を除去する分離線を設け、前記剥離シートを前記分離線から剥離した際は、前記粘着剤層の一部を表出させた表出粘着部が形成され、前記表出粘着部を含む部分を所定の位置で前記剥離シートの裏面が内側となるように折り返す折返し部を形成することで、前記折返し部の対向面と前記表出粘着部とを貼り合わせて封緘し、前記印字部を隠蔽した後には連続して開封可能な開封用分離線が形成されていること、を特徴とする印字情報を隠蔽可能な帳票。
【請求項２５】
請求項２４に記載の印字情報を隠蔽可能な帳票において、分離線の下方二辺のコーナーに角丸部を設けてあること、を特徴とする印字情報を隠蔽可能な帳票。
【請求項２６】
請求項２４に記載の印字情報を隠蔽可能な帳票において、前記折返し部によるそれぞれの対向面に隠蔽情報を印字する隠蔽情報印字領域を備えること、を特徴とする印字情報を隠蔽可能な帳票。
【請求項２７】
請求項２４から請求項２６に記載の印字情報を隠蔽可能な帳票において、前記折返し部は、前記隠蔽情報に関連する金銭、小切手、クーポン券又は商品券に代表される金券類を封入可能であること、を特徴とする印字情報を隠蔽可能な帳票。
【請求項２８】
請求項２４から請求項２７までのいずれか１項に記載の印字情報を隠蔽可能な帳票において、前記折返し部は、前記基材側であって前記表出粘着部の内縁側に連続して開封可能な開封用分離線が形成されていること、を特徴とする印字情報を隠蔽可能な帳票。
【請求項２９】
請求項２２から請求項２８までのいずれか１項に記載の印字情報を隠蔽可能な帳票において、前記折返し部を形成した状態で、前記剥離シート側に印字した情報の一部が外部から目視可能な第１の公開情報印字領域を備えること、を特徴とする印字情報を隠蔽可能な帳票。
【請求項３０】
基材と、前記基材の片面に設けられた粘着剤層と、前記粘着剤層に剥離可能に貼り合わせた剥離シートを備えた帳票であって、前記基材より一回り大きい部分を有する剥離シートを備え、前記粘着剤層に貼り合わせた前記剥離シートの裏面は印字部を設け、前記剥離シートの下方の三辺の周縁部に剥離シートの一部を除去する分離線を設け、前記剥離シートを前記分離線から剥離した際は、前記粘着剤層の一部を表出させた表出粘着部が形成され、前記表出粘着部を含む部分を所定の位置で前記剥離シートの裏面が内側となるように折返す折返し部を形成し、前記折返し部の上下には基材がない部分を形成することで、前記折返し部での対向面と前記表出粘着部とを貼り合わせて封緘し、前記印字部を隠蔽するようにしたこと、を特徴とする印字情報を隠蔽可能な帳票。
【請求項３１】
請求項３０に記載の印字情報を隠蔽可能な帳票において、分離線の下方二辺のコーナーに角丸部を設けてあること、を特徴とする印字情報を隠蔽可能な帳票。
【請求項３２】
請求項３０に記載の印字情報を隠蔽可能な帳票において、前記折返し部によるそれぞれの対向面に隠蔽情報を印字する隠蔽情報印字領域を備えること、を特徴とする印字情報を隠蔽可能な帳票。
【請求項３３】
請求項３０から請求項３２に記載の印字情報を隠蔽可能な帳票において、前記折返し部は、前記隠蔽情報に関連する金銭、小切手、クーポン券又は商品券に代表される金券類を封入可能であること、を特徴とする印字情報を隠蔽可能な帳票。
【請求項３４】
請求項３０から請求項３３までのいずれか１項に記載の印字情報を隠蔽可能な帳票において、前記折返し部は、上下に前記基材がない部分があり、前記基材側であって前記表出粘着部の内縁側に開封可能な開封用分離線が形成されていること、を特徴とする印字情報を隠蔽可能な帳票。
【請求項３５】
請求項３０から請求項３４までのいずれか１項に記載の印字情報を隠蔽可能な帳票において、前記折返し部を形成した状態で、前記剥離シート側に印字した情報の一部が外部から目視可能な第１の公開情報印字領域を備えること、を特徴とする印字情報を隠蔽可能な帳票。
【発明の詳細な説明】
【技術分野】
【０００１】
本発明は、小規模な事務所（ＳＯＨＯ）等で、給与や賞与支給袋として好適に利用できる印字情報を隠蔽可能な帳票に関するものである。
【背景技術】
【０００２】
オフィスのＩＴ化は、凄まじい勢いで浸透しており、今や企業の大小を問わず、幅広い企業規模、業種でＩＴが導入されている。当然、「ＩＴ化」という言葉の示す範囲は広く、そのレベルは様々であるが、極端なことを言えば、パソコン一台あれば最低限の「ＩＴ化」と捉えられ、要は様々な資料等をデータとしてデジタル化している状態、と言うことができるであろう。
さて、そういった流れの中で、今や取引先に提出する見積書や提案書といった様々な文書は、すべてワープロや専用ソフトで作製されるようになった。これらは、メールで送信される場合もあるが、取引先の事情等もあって、プリンタで出力される場合も少なくなく、パソコンがあれば同時にプリンタも導入されている場合が一般的である。
【０００３】
プリンタ機種には、様々な方式があるが、中小規模の企業であれば、モノクロの小型ＬＢＰ（コピー機と一体化したハイブリッド機を含む）が多い。小型ＬＢＰは、トナーを使用しており、退色や消色といった面に強く、オフィシャルな文書には好適に使用されている。
また、例えば、プレゼン資料や提案書のためにカラー文書を出力する場合には、インクジェット方式が多い。インクジェットプリンタは、小型でＬＢＰより低速なものが多いが、ハードが安価であるため、家庭を含めてカラープリンタのスタンダードとなっている。
このインクジェットプリンタは、インキが水性染料主体であるため、耐水性、耐候性（耐光性）が悪く、また、用紙によってはフェザリングと呼ばれる滲みを生じたりするために、これらを改善するための専用紙を使用する必要がある等の課題もあるが、費用対効果の面で、現時点では完全なるスタンダードと言える。
とは言え、カラーＬＢＰも低コスト化が進んできており、今後オフィスでの主役となるのはこちらであろう。
【０００４】
このオフィスのＩＴ化は、様々な面へ展開され、現時点では勤務管理、給与管理、交通費の精算等々と、およそ企業活動とは切ってもきれない関係になってきている。これらは、これまで企業側が「紙」ベースで保管していたものを「デジタルデータ」で保管する、と言うスタイルにつながってきた。
例えば、給与明細書は、毎月社員に配布されるが、これまでノーカーボン紙を利用して、企業側の控えと、本人へ明細書を同時に印字出力していた（例えば、特許文献１）。
しかし、現在では、ノーカーボン紙で複写可能なドットインパクトプリンタ自身が少なくなってきた（費用対効果の点で前述したプリンタより見劣りする）ため、ＬＢＰで２回同じデータを印字したり、あるいは、前述したとおり「デジタルデータによる保管」を行うことにより、控えを印字しないようにしている。
【特許文献１】特開２００２−２１１１７４号公報
【発明の開示】
【発明が解決しようとする課題】
【０００５】
しかし、ここで、一つ問題が生じてきた。前述したノーカーボン紙を使用する場合は、例えば、袋の中にノーカーボンボトム紙、袋の外に企業側の控え片を設けた製袋帳票を利用することもあったのだが、ＬＢＰやＩＪＰでは袋の中に印字できないため、出力した用紙を折り畳んだり、切り取って別途用意した封筒に封入する必要が生じてきたのである。
このとき、封筒は高価な窓空きタイプのものを使用しないと、外から誰の給与明細書かが判別できず、作業性が著しく劣るばかりでなく、誤配した場合には同僚に見られてしまうため、社員によっては嫌がられていた。
一方、例えば、Ａ４定型コピー用紙のような白紙に印字した書類をそのまま渡されるだけだと、配布される人に懐具合を詮索されたり、離席中には、不特定多数に見られるといった不快感があった。
【０００６】
本発明の課題は、現在オフィスで広く利用されているプリンタで印字出力が可能（基本的に片面印字）であって、かつ、簡単な作業で印字した情報を隠蔽することができる印字情報を隠蔽可能な帳票を提供することである。
【課題を解決するための手段】
【０００７】
本発明の印字情報を隠蔽可能な帳票は（１０ａ、１０ｂ、１０ｃ、１０ｄ、１０ｅ、１０ｆ）は、以下の各態様に記載の手段により上記の課題を解決するものである。
【０００８】
本発明の第１の態様は、基材（１１）と、前記基材（１１）の片面に設けられた粘着剤層（１２）と、前記粘着剤層（１２）に剥離可能に貼り合せられた剥離シート（１３）と、前記剥離シート（１３）の少なくとも一辺の周縁部に設けられ、前記剥離シート（１３）の一部を除去する分離線（１４）とを備え、前記剥離シート（１３）を前記分離線（１４）から剥離して前記粘着剤層（１２）の一部を表出させた表出粘着部（１２ａ）を形成し、前記表出粘着部（１２ａ）を含む部分を所定の位置で前記剥離シート（１３）が内側となるように折り返して折返し部（１６）を形成し、前記折返し部（１６）の対向面を前記表出粘着部（１２ａ）で貼り合わせて封緘すること、を特徴とする印字情報を隠蔽可能な帳票（１０ａ）である。
【０００９】
本発明の第２の態様は、請求項１に記載の印字情報を隠蔽可能な帳票（１０ａ）において、前記折返し部（１６）は、その対向面に隠蔽情報を印字する隠蔽情報印字領域（Ｘ）を備えること、を特徴とする印字情報を隠蔽可能な帳票である。
【００１０】
本発明の第３の態様は、請求項１又は請求項２に記載の印字情報を隠蔽可能な帳票（１０ａ）において、前記折返し部（１６）は、前記隠蔽情報に関連する金銭、小切手、クーポン券又は商品券に代表される金券類を封入可能であること、を特徴とする印字情報を隠蔽可能な帳票である。
【００１１】
本発明の第４の態様は、請求項１から請求項３までのいずれか１項に記載の印字情報を隠蔽可能な帳票（１０ａ）において、前記折返し部（１６）は、前記基材（１１）側であって前記表出粘着部（１２ａ）の内縁側に、開封用分離線（１５ａ）が形成されていること、を特徴とする印字情報を隠蔽可能な帳票である。
【００１２】
本発明の第５の態様は、請求項１から請求項４までのいずれか１項に記載の印字情報を隠蔽可能な帳票（１０ａ）において、前記折返し部（１６）を形成した状態で、前記剥離シート（１３）側に印字した情報の一部が外部から目視可能な第１の公開情報印字領域（Ｙ１）を備えること、を特徴とする印字情報を隠蔽可能な帳票である。
【００１３】
本発明の第６の態様は、請求項１から請求項５までのいずれか１項に記載の印字情報を隠蔽可能な帳票（１０ａ）において、前記基材（１１）の表出面に第２の公開情報印字領域（Ｙ２）を備え、前記隠蔽情報印字領域（Ｘ）及び／又は前記第１の公開情報印字領域（Ｙ１）と、前記第２の公開情報印字領域（Ｙ２）とを両面印字可能であること、を特徴とする印字情報を隠蔽可能な帳票である。
【００１４】
本発明の第７の態様は、請求項１から請求項６までのいずれか１項に記載の印字情報を隠蔽可能な帳票（１０ａ）において、前記折返し部（１６）は、前記剥離シート（１３）と前記基材（１１）とが剥離不用であること、を特徴とする印字情報を隠蔽可能な帳票である。
【００１５】
本発明の第８の態様は、基材（１１）と、前記基材（１１）の片面に設けられた粘着剤層（１２）と、前記粘着剤層（１２）に剥離可能に貼り合せられた剥離シート（１３）であって、前記粘着剤層（１２）に貼り合せられた前記剥離シート（１３）の裏面は印字可能であるタックシートを備え、前記剥離シート（１３）の下方の三辺の周縁部に設けられた剥離シートの一部を除去する分離線（１４）と、前記分離線（１４）の下方の二辺のコーナーに角丸部（７）を設け、前記剥離シート（１３）を前記分離線（１４）から剥離して、前記粘着剤層（１２）の一部を表出させた表出粘着部（１２ａ）を形成し、前記表出粘着部（１２ａ）を含む部分を所定の位置で前記剥離シート（１３）が内側となるように折返して折返し部（１６）を形成し、前記折返し部（１６）の対向面を前記表出粘着部（１２ａ）で貼り合わせて封緘してなること、を特徴とする印字情報を隠蔽可能な帳票（１０ｂ）である。
【００１６】
本発明の第９の態様は、請求項８に記載の印字情報を隠蔽可能な帳票（１０ｂ）において、前記折返し部（１６）によるそれぞれの対向面に隠蔽情報を印字する隠蔽情報印字領域（Ｘ）を備えること、を特徴とする印字情報を隠蔽可能な帳票である。
【００１７】
本発明の第１０の態様は、請求項８又は請求項９に記載の印字情報を隠蔽可能な帳票（１０ｂ）において、前記折返し部（１６）は、前記隠蔽情報に関連する金銭、小切手、クーポン券又は商品券に代表される金券類を封入可能であること、を特徴とする印字情報を隠蔽可能な帳票である。
【００１８】
本発明の第１１の態様は、請求項８から請求項１０までのいずれか１項に記載の印字情報を隠蔽可能な帳票（１０ｂ）において、封緘後には左右に縦ミシン目による開封用分離線（１５ｂ）が形成され、左右の不要部（１８）が容易に分離可能となる開封用分離線（１５ｂ）があること、を特徴とする印字情報を隠蔽可能な帳票である。
【００１９】
本発明の第１２の態様は、請求項８から請求項１１までのいずれか１項に記載の印字情報を隠蔽可能な帳票（１０ｂ）において、前記折返し部（１６）を形成した状態で、前記剥離シート（１３）側に印字した情報の一部が外部から目視可能な第１の公開情報印字領域（Ｙ１）を備えること、を特徴とする印字情報を隠蔽可能な帳票である。
【００２０】
本発明の第１３の態様は、基材（１１）と、前記基材（１１）の片面に設けられた粘着剤層（１２）と、前記粘着剤層（１２）に剥離可能に貼り合わせた剥離シート（１３）を備えた帳票であって、前記粘着剤層（１２）に貼り合わせた前記剥離シート（１３）の裏面に印字部を設け、前記剥離シートの下方の三辺の周縁部に剥離シートの一部を除去する分離線（１４）を設け、前記分離線の下方の二辺のコーナーに角丸部（７）を設けることにより、前記剥離シート（１３）を前記分離線（１４）から剥離した際は、前記粘着剤層の一部を表出させる表出粘着部（１２ａ）が形成され、前記表出粘着部（１２ａ）を含む部分を所定の位置で前記剥離シート（１３）の裏面が内側となるように折返す折返し部（１６）を形成することで、前記折返し部（１６）の対向面と前記表出粘着部（１２ａ）とを貼り合わせて封緘し、前記印字部を隠蔽した後には連続して開封可能な開封用分離線（１５）が形成されていること、を特徴とする印字情報を隠蔽可能な帳票（１０ｃ）である。
【００２１】
本発明の第１４の態様は、請求項１３に記載の印字情報を隠蔽可能な帳票（１０ｃ）において、前記折返し部（１６）によるそれぞれの対向面に隠蔽情報を印字する隠蔽情報印字領域（Ｘ）を備えること、を特徴とする印字情報を隠蔽可能な帳票である。
【００２２】
本発明の第１５の態様は、請求項１３又は請求項１４に記載の印字情報を隠蔽可能な帳票（１０ｃ）において、前記折返し部（１６）は、前記隠蔽情報に関連する金銭、小切手、クーポン券又は商品券に代表される金券類を封入可能であること、を特徴とする印字情報を隠蔽可能な帳票である。
【００２３】
本発明の第１６の態様は、請求項１３から請求項１５までのいずれか１項に記載の印字情報を隠蔽可能な帳票（１０ｃ）において、前記折返し部（１６）は、前記基材（１１）側であって前記表出粘着部（１２ａ）の内縁側に、コーナー部が角丸（７）よりなり、連続して開封可能な開封用分離線（１５）が形成されていること、を特徴とする印字情報を隠蔽可能な帳票である。
【００２４】
本発明の第１７の態様は、請求項１３から請求項１６までのいずれか１項に記載の印字情報を隠蔽可能な帳票（１０ｃ）において、前記折返し部（１６）を形成した状態で、前記剥離シート（１３）側に印字した情報の一部が外部から目視可能な第１の公開情報印字領域（Ｙ１）を備えること、を特徴とする印字情報を隠蔽可能な帳票である。
【００２５】
本発明の第１８の態様は、基材（１１）と、前記基材（１１）の片面に設けられた粘着剤層（１２）と、前記粘着剤層（１２）に剥離可能に貼り合わせた剥離シート（１３）を備えた帳票であって、前記基材より一回り大きい部分（１）を有する剥離シート（１３）を備え、前記粘着剤層（１２）に貼り合わせた前記剥離シート（１３）の裏面は印字部を設け、前記剥離シート（１３）の下方の三辺の周縁部に剥離シートの一部を除去する分離線（１４）を設け、前記剥離シート（１３）を前記分離線（１４）から剥離した際は、前記粘着剤層（１２）の一部を表出させた表出粘着部（１２ａ）が形成され、前記表出粘着部（１２ａ）を含む部分を所定の位置で前記剥離シートの裏面が内側となるように折返す折返し部（１６）を形成することで、前記折返し部（１６）の対向面と前記表出粘着部（１２ａ）とを貼り合わせて封緘し、前記印字部を隠蔽するようにしたこと、を特徴とする印字情報を隠蔽可能な帳票（１０ｄ）である。
【００２６】
本発明の第１９の態様は、請求項１８に記載の印字情報を隠蔽可能な帳票（１０ｄ）において、分離線の下方二辺のコーナーに角丸部（７）を設けてあること、を特徴とする印字情報を隠蔽可能な帳票である。
【００２７】
本発明の第２０の態様は、請求項１８に記載の印字情報を隠蔽可能な帳票（１０ｄ）において、前記折返し部（１６）によるそれぞれの対向面に隠蔽情報を印字する隠蔽情報印字領域（Ｘ）を備えること、を特徴とする印字情報を隠蔽可能な帳票である。
【００２８】
本発明の第２１の態様は、請求項１８及び請求項２０に記載の印字情報を隠蔽可能な帳票（１０ｄ）において、前記折返し部（１６）は、前記隠蔽情報に関連する金銭、小切手、クーポン券又は商品券に代表される金券類を封入可能であることを、特徴とする印字情報を隠蔽可能な帳票である。
【００２９】
本発明の第２２の態様は、請求項１８から請求項２１に記載の印字情報を隠蔽可能な帳票（１０ｄ）において、封緘後には左右に縦ミシン目による開封用分離線（１５ｂ）が形成され、左右の不要部（１８）が容易に分離可能となる開封用分離線（１５）があることを、特徴とする印字情報を隠蔽可能な帳票である。
【００３０】
本発明の第２３の態様は、請求項１８から請求項２２に記載の印字情報を隠蔽可能な帳票（１０ｄ）において、前記折返し部（１６）を形成した状態で、前記剥離シート（１３）側に印字した情報の一部が外部から目視可能な第１の公開情報印字領域（Ｙ１）を備えること、を特徴とする印字情報を隠蔽可能な帳票である。
【００３１】
本発明の第２４の態様は、基材（１１）と、前記基材（１１）の片面に設けられた粘着剤層（１２）と、前記粘着剤層（１２）に剥離可能に貼り合わせた剥離シート（１３）を備えた帳票であって、前記基材より一回り大きい部分（１）を有する剥離シート（１３）を備え、前記粘着剤層（１２）に貼り合わせた前記剥離シート（１３）の裏面は印字部を設け、前記剥離シート（１３）の下方の三辺の周縁部に剥離シートの一部を除去する分離線（１４）を設け、前記剥離シートを前記分離線（１４）から剥離した際は、前記粘着剤層（１２）の一部を表出させた表出粘着部（１２ａ）が形成され、前記表出粘着部（１２ａ）を含む部分を所定の位置で前記剥離シートの裏面が内側となるように折返す折返し部（１６）を形成することで、前記折返し部（１６）の対向面と前記表出粘着部（１２ａ）とを貼り合わせて封緘し、前記印字部を隠蔽した後には連続して開封可能な開封用分離線（１５）が形成されていること、を特徴とする印字情報を隠蔽可能な帳票（１０ｅ）である。
【００３２】
本発明の第２５の態様は、請求項２４に記載の印字情報を隠蔽可能な帳票（１０ｅ）において、分離線の下方二辺のコーナーに角丸部（７）を設けてあること、を特徴とする印字情報を隠蔽可能な帳票（１０ｅ）である。
【００３３】
本発明の第２６の態様は、請求項２４に記載の印字情報を隠蔽可能な帳票（１０ｅ）において、前記折返し部（１６）によるそれぞれの対向面に隠蔽情報を印字する隠蔽情報印字領域（Ｘ）を備えること、を特徴とする印字情報を隠蔽可能な帳票である。
【００３４】
本発明の第２７の態様は、請求項２４から請求項２６に記載の印字情報を隠蔽可能な帳票（１０ｅ）において、前記折返し部（１６）は、前記隠蔽情報に関連する金銭、小切手、クーポン券又は商品券に代表される金券類を封入可能であること、を特徴とする印字情報を隠蔽可能な帳票である。
【００３５】
本発明の第２８の態様は、請求項２４から請求項２７までのいずれか１項に記載の印字情報（１０ｅ）を隠蔽可能な帳票において、前記折返し部（１６）は、前記基材（１１）側であって前記表出粘着部（１２ａ）の内縁側に連続して開封可能な開封用分離線（１５）が形成されていること、を特徴とする印字情報を隠蔽可能な帳票である。
【００３６】
本発明の第２９の態様は、請求項２４から請求項２８までのいずれか１項に記載の印字情報を隠蔽可能な帳票（１０ｅ）において、前記折返し部（１６）を形成した状態で、前記剥離シート（１３）側に印字した情報の一部が外部から目視可能な第１の公開情報印字領域（Ｙ１）を備えること、を特徴とする印字情報を隠蔽可能な帳票である。
【００３７】
本発明の第３０の態様は、基材（１１）と、前記基材（１１）の片面に設けられた粘着剤層（１２）と、前記粘着剤層（１２）に剥離可能に貼り合わせた剥離シート（１３）を備えた帳票であって、前記基材より一回り大きい部分（１）を有する剥離シート（１３）を備え、前記粘着剤層（１２）に貼り合わせた前記剥離シート（１３）の裏面は印字部を設け、前記剥離シート（１３）の下方の三辺の周縁部に剥離シートの一部を除去する分離線（１４）を設け、前記剥離シート（１３）を前記分離線（１４）から剥離した際は、前記粘着剤層（１２）の一部を表出させた表出粘着部（１２ａ）が形成され、前記表出粘着部（１２ａ）を含む部分を所定の位置で前記剥離シートの裏面が内側となるように折返す折返し部（１６）を形成し、前記折返し部（１６）の上下には基材がない部分を形成することで、前記折返し部（１６）で対向面の前記表出粘着部（１２ａ）との貼り合わせて封緘し、前記印字部を隠蔽するようにしたこと、を特徴とする印字情報を隠蔽可能な帳票（１０ｆ）である。
【００３８】
本発明の第３１の態様は、請求項３０に記載の印字情報を隠蔽可能な帳票（１０ｆ）において、分離線の下方二辺のコーナーに角丸部（７）を設けてあること、を特徴とする印字情報を隠蔽可能な帳票である。
【００３９】
本発明の第３２の態様は、請求項３０に記載の印字情報を隠蔽可能な帳票（１０ｆ）において、前記折返し部（１６）によるそれぞれの対向面に隠蔽情報を印字する隠蔽情報印字領域（Ｘ）を備えること、を特徴とする印字情報を隠蔽可能な帳票である。
【００４０】
本発明の第３３の態様は、請求項３０から請求項３２に記載の印字情報を隠蔽可能な帳票（１０ｆ）において、前記折返し部（１６）は、前記隠蔽情報に関連する金銭、小切手、クーポン券又は商品券に代表される金券類を封入可能であること、を特徴とする印字情報を隠蔽可能な帳票である。
【００４１】
本発明の第３４の態様は、請求項３０から請求項３３までのいずれか１項に記載の印字情報を隠蔽可能な帳票（１０ｆ）において、前記折返し部（１６）の上下に前記基材（１１）がない部分があり、前記基材（１１）側であって前記表出粘着部（１２ａ）の内縁側に開封可能な開封用分離線（１５）が形成されていること、を特徴とする印字情報を隠蔽可能な帳票である。
【００４２】
本発明の第３５の態様は、請求項３０から請求項３４までのいずれか１項に記載の印字情報を隠蔽可能な帳票（１０ｆ）において、前記折返し部（１６）を形成した状態で、前記剥離シート（１３）側に印字した情報の一部が外部から目視可能な第１の公開情報印字領域（Ｙ１）を備えること、を特徴とする印字情報を隠蔽可能な帳票である。
【発明の効果】
【００４３】
本発明によれば、現在オフィス等で広く利用されているプリンタで印字出力が可能であって、かつ、簡単な作業で印字した情報を隠蔽することができる。
【発明を実施するための最良の形態】
【００４４】
［実施例１］
以下、図面等を参照して、本発明の実施例１について、説明する。実施例１は、現在オフィスで広く利用されているプリンタで印字出力が可能（基本的に片面印字）であって、かつ、簡単な作業で印字した情報を隠蔽することができる印字情報を隠蔽可能な帳票を提供することである。
図１は、実施例１の印字情報を隠蔽可能な帳票の実施形態を示す図、図２は、実施例１の印字情報を隠蔽可能な帳票の使用方法を説明する図である。
この実施例１の印字情報を隠蔽可能な帳票１０ａは、図１に示すように、基材１１と、基材１１の片面に設けられた粘着剤層１２と、粘着剤層１２に剥離可能に貼り合せられた剥離シート１３とを備えたＡ４サイズなどのタックシートを用いて製造され、剥離シートの左右両側と下側の三辺の周縁部に、剥離シート１３の一部を除去するハーフカットの分離線１４が設けられている。
【００４５】
次に、実施例１による印字情報を隠蔽可能な帳票１０ａの製造方法、使用方法とともに、細部構成をさらに詳しく説明する。
この帳票１０ａは、図２（Ａ）に示すように、折返し部１６には、その対向面に給与明細書や勤怠記録などの隠蔽情報を印字する隠蔽情報印字領域Ｘを備えている。折返し部１６は、基材１１と剥離シート１３とが剥離不用（剥離不能か剥離済み）である。
また、折返し部１６を形成した状態で、折返し部１６を除いた表出部１７には、剥離シート１３側に印字した情報の一部が外部から目視可能な、宛名人の氏名など公開情報を印字する第１の公開情報印字領域Ｙ１を備えている。
【００４６】
そして、この隠蔽情報印字領域Ｘと、第１の公開情報印字領域Ｙ１とを、プリンタにより片面印字する（＃１０１）。
【００４７】
次に、図２（Ｂ）に示すように、剥離シート１３の一部１３ａをハーフカットの分離線１４から剥離して（＃１０２）、粘着剤層１２の一部を表出させた表出粘着部１２ａを形成する。
【００４８】
さらに、図２（Ｃ）に示すように、この表出粘着部１２ａを含む部分を所定の位置で、剥離シート１３が内側となるように折返して折返し部１６を形成し、折返し部１６の対向面を、表出粘着部１２ａで貼り合わせて封緘して（＃１０３）、封筒１０Ａを作製する。
ここで、折返し部１６には、隠蔽情報に関連する金銭、小切手、クーポン券又は商品券に代表される金券類を封入することが可能である。
【００４９】
封筒１０ａＡは、図２（Ｄ）に示すように、第１の公開情報印字領域Ｙ１の宛名情報に基づいて、配布される（＃１０４）。
【００５０】
折返し部１６には、基材１１側であって表出粘着部１２ａの内縁側に、開封用ミシン目による開封用分離線１５ａが形成されているので、図２（Ｅ）に示すように、開封用ミシン目１５ａで開封すれば（＃１０５）、折返し部１６の内側の隠蔽情報印字領域Ｘに印字された給与明細書等の隠蔽情報を確認することができる。
【００５１】
このように、実施例１によれば、以下のような効果がある。
（１）基材１１と剥離シート１３の２枚の用シートが粘着剤層１２で貼り合わされたタックシートを使用する構成であるため、生産性が高く、しかも、プリンタのカセット内での形態が安定する（印字適性が高い）。
（２）剥離シート１３の印字面（隠蔽情報印字領域Ｘ）を内側へ折り畳むことによっ容易に封緘することができる。
（３）基材１１と剥離シート１３の折返し部１６を折り畳む方式のため、少額かつシート幣中心であれば、実際に現金などを封入することも可能である。
（４）開封ミシン目１５ａを設けてあるので、開封も容易である。
【００５２】
［実施例１の変形形態］
以上説明した実施例１に限定されることなく、種々の変形や変更が可能であって、それらも本発明の均等の範囲内である。
例えば、図２（Ａ）に示すように、基材１１の表出面に第２の公開情報印字領域Ｙ２を設ければ、隠蔽情報印字領域Ｘ、及び／又は、第１の公開情報印字領域Ｙ１と、第２の公開情報印字領域Ｙ２とを、両面印字することも可能である。
【００５３】
［実施例２］
以下、図面等を参照して、本発明の実施例２について、説明する。実施例２は、現在オフィス等で広く利用されているシート給紙の各方式のプリンタにも対応が可能な単票でありながら、片面印字後に人手による簡単な製袋作業で、印字した情報を隠蔽でき、開封作業も非常に容易なるものである。
図３は、実施例２の印字情報を隠蔽可能な帳票１０ｂの実施形態を示す図であり、図４は、実施例２の印字情報を隠蔽可能な帳票１０ｂの使用方法を説明する図である。
この実施例２の印字情報を隠蔽可能な帳票１０ｂは、図３に示すように、基材１１と、基材１１の片面に設けられた粘着剤層１２と、粘着剤層１２に剥離可能に貼り合せられた剥離シート１３とを備えたタックシートを用いて、ミシン目加工やハーフカット加工等により、製造する。以下に実施例２の製造方法を説明する。
（１）基材面１１より、左右にハーフ縦ミシン２を入れる。
（２）折返し部１６の中央には、折返し作業を容易にするための横ミシンを入れ      る。この
横ミシンは、左右の３の部分は、ハーフ横ミシンであり、４の部分は剥離シートまで貫通する横ミシンを入れる。
（３）基材面１１の下部には、左右にハーフカットの角丸部５を有したハーフ横      ミシン６
を入る。
（４）上記（１）から（３）までの加工を施した後に、剥離シート１３の面より      ハーフカ
ット加工で、剥離シート１３の下方三面を除去するためのハーフカットよりなる分離線１４を入れる。なお、この分離線１４の下側の左右には角丸部７が設けられる。さらに、表出部１７の左右にはハーフ縦ミシン１４ａを入れる。
【００５４】
なお、前記ハーフ縦ミシンとは、縦ミシン刃をタックシートの粘着剤１２までで止めた縦ミシン加工より得られる縦ミシンである。同じく、前記ハーフ横ミシンとは、横ミシン刃をタックシートの粘着剤１２までで止めた横ミシン加工より得られる横ミシンである。また、前記ハーフカット加工とは、打ち抜き刃を粘着剤１２までで止めた抜き加工である。
【００５５】
次に、実施例２の印字情報を隠蔽可能な単票１０ｂの人手による製袋方法、使用方法とともに、細部構成をさらに詳しく説明する。
この帳票１０ｂは、図４（Ａ）に示すように、折返し部１６には、その対向面に給与明細書や勤怠記録などの隠蔽情報を印字する隠蔽情報印字領域Ｘを備えている。
また、折返し部１６を形成した状態で、折返し部１６を除いた表出部１７には、剥離シート１３側に印字した情報の一部が外部から目視可能な、宛名人の氏名など公開情報を印字する第１の公開情報印字領域Ｙ１を備えている。
【００５６】
そして、この隠蔽情報印字領域Ｘと、第１の公開情報印字領域Ｙ１とを、シート給シートのプリンタにより片面印字する（＃２１０１）。
【００５７】
次に、図４（Ｂ）に示すように、剥離シート１１の一部１１ａをハーフカット加工よりなる分離線１４から剥離して（＃２１０２）、粘着剤層１２の一部を表出させた表出粘着部１２ａさせる。このとき、剥離シート面下側部の左右の角丸部７により、剥離シート１３の一部１３ａは、連続状に容易に剥離可能であり、作業性が優れるものである。
【００５８】
さらに、図４（Ｃ）に示すように、この表出粘着部１２ａを含む部分を所定の位置で、剥離シート１３が内側となるように折返し、折返し部１６の対向面を、表出粘着部１２ａで貼り合わせて封緘して（＃２１０３）、封筒１０ｂＡを作製する。
【００５９】
封筒１０ｂＡは、図４（Ｄ）に示すように、第１の公開情報印字領域Ｙ１の宛名情報に基づいて、配布される（＃２１０４）。
【００６０】
開封時には、左右に縦ミシン目による開封用分離線１５ｂが形成されるので、図４（Ｅ）に示すように、左右の縦ミシン目による開封用分離線１５ｂで、左右の不要部１８を容易に分離することで開封が可能であり（＃２１０５）、折返し部１６の内側の隠蔽情報印字領域Ｘに印字された給与明細書等の隠蔽情報を確認することができる。
【００６１】
このように、実施例２によれば、以下のような効果がある。
（１）基材１１と剥離シート１３の２枚の用シートが粘着剤層１２で貼り合わされたタックシートを使用する構成であるため、生産性が高く、しかも、シート供給のプリンタのカセット内での形態が安定するほか、印字適性が高い。
（２）剥離シートの左右両側と下側の三辺の周縁部に剥離シート１３の一部を除去する分離線１４が設けられ、かつ、下側の左右二辺には角丸部７になっており、剥離シートを連続して容易に剥離し、剥離シート１３の印字面（隠蔽情報印字領域Ｘ）を内側へ折り畳みことによって、封緘して、製袋できる。
（３）製袋作業時には、折返し部１６に隠蔽情報に関連する金銭、小切手、クーポン券又は商品券に代表される金券類等も封入することが可能である。
（４）左右の縦ミシン目による開封用分離線１５ｂにより、左右の不要部１８が容易に切り取られるため、開封が容易である。
【００６２】
［実施例３］
以下、図面等を参照して、本発明の実施例３について、説明する。実施例３は、現在オフィス等で広く利用されているシート給紙の各方式のプリンタにも対応が可能な単票でありながら、片面印字後に人手による簡単な製袋作業で、印字した情報を隠蔽でき、開封作業も非常に容易なるものである。
図５は、実施例３の印字情報を隠蔽可能な帳票の実施形態を示す図であり、図６は、実施例３の印字情報を隠蔽可能な帳票の使用方法を説明する図である。
この実施例３の印字情報を隠蔽可能な帳票１０ｃは、図５に示すように、基材１１と、基材１１の片面に設けられた粘着剤層１２と、粘着剤層１２に剥離可能に貼り合せられた剥離シート１３とを備えたタックシートを用いて、ミシン目加工や打ち抜き加工等により、製造する。以下には実施例３の製造方法を説明する。
（１）基材面１１より、左右にハーフ縦ミシン１及び２を入れる。
（２）折返し部１６の中央には、折返し作業を容易にするための横ミシンを入れ      る。この
横ミシンは、左右の３の部分は、ハーフ横ミシンであり、４の部分は剥離シートまで貫通する横ミシンを入れる。
（３）基材面１１の下部には、左右にハーフミシンの角丸部５ａを有したハーフ      横ミシン
６を入る。
（４）上記（１）から（３）までのミシン目加工を施した後に、剥離シート１３      の面より
ハーフカット加工で、剥離シート１３の下方三面を除去するためのハーフカット等よりなる分離線１４を入れる。なお、この分離線１４の下側の左右には角丸部７が設けられる。
また、このハーフカット加工では、折返し部１６の上辺は、基材まで貫通する横ミシン８を入れ、さらに、折返し部１６の上辺左右の角丸部には、基材まで貫通する切り込み９を入れる。
【００６３】
なお、前記ハーフ縦ミシンとは、縦ミシン刃をタックシートの粘着剤１２までで止めた縦ミシン加工より得られる縦ミシンである。同じく、前記ハーフ横ミシンとは、横ミシン刃をタックシートの粘着剤１２までで止めた横ミシン加工より得られる横ミシンである。また、前記ハーカット加工とは、抜き刃を粘着剤１２までで止めた抜き加工である。
【００６４】
次に、実施例３による印字情報を隠蔽可能な単票１０ｃの人手による製袋方法、使用方法とともに、細部構成をさらに詳しく説明する。
この帳票１０ｃは、図６（Ａ）に示すように、折返し部１６には、その対向面に給与明細書や勤怠記録などの隠蔽情報を印字する隠蔽情報印字領域Ｘを備えている。
また、折返し部１６を形成した状態で、折返し部１６を除いた表出部１７には、剥離シート１３側に印字した情報の一部が外部から目視可能な、宛名人の氏名など公開情報を印字する第１の公開情報印字領域Ｙ１を備えている。
【００６５】
そして、この隠蔽情報印字領域Ｘと、第１の公開情報印字領域Ｙ１とを、シート給シートのプリンタにより片面印字する（＃３１０１）。
【００６６】
次に、図６（Ｂ）に示すように、剥離シート１３の一部１３ａをハーフカット等よりなる分離線１４から剥離して（＃３１０２）、粘着剤層１２の一部を表出させた表出粘着部１２ａさせる。このとき、単票の下側部左右の角丸部により、剥離シート１３の一部１３ａは、連続状に容易に剥離可能であり、作業性が優れるものである。
【００６７】
さらに、図６（Ｃ）に示すように、この表出粘着部１２ａを含む部分を所定の位置で、剥離シート１３が内側となるように折返して折返し部１６を形成し、折返し部１６の対向面を、表出粘着部１２ａで貼り合わせて封緘して（＃３１０３）、封筒１０ｃＡを作製する。
【００６８】
封筒１０ｃＡは、図３２（Ｄ）に示すように、第１の公開情報印字領域Ｙ１の宛名情報に基づいて、配布される（＃３１０４）。
【００６９】
開封時には、角丸を有する開封用ミシン目を主体とする開封用分離線１５が形成されているので、図６（Ｅ）に示すように、開封用ミシン目を主体とする開封用分離線１５で連続的に容易に開封可能であり（＃３１０５）、折返し部１６の内側の隠蔽情報印字領域Ｘに印字された給与明細書等の隠蔽情報を確認することができる。
【００７０】
このように、実施例３によれば、以下のような効果がある。
（１）基材１１と剥離シート１３の二枚の用シートが粘着剤層１２で貼り合わされたタックシートを使用する構成であるため、生産性が高く、しかも、シート供給のプリンタのカセット内での形態が安定するほか、印字適性が高い。
（２）剥離シートの左右両側と下側の三辺の周縁部に剥離シート１３の一部を除去する分離線１４が設けられ、かつ、下側の左右二辺には角丸部７になっており、剥離シートを連続して容易に剥離し、剥離シート１３の印字面（隠蔽情報印字領域Ｘ）を内側へ折り畳みことによって、封緘して、製袋できる。
（３）製袋作業時には、折返し部１６に隠蔽情報に関連する金銭、小切手、クーポン券又は商品券に代表される金券類等も封入することが可能である。
（４）角丸を有する開封用ミシン目を主体とする開封用分離線１５であり、コーナー部が角丸になっているため、連続して不要部が容易に切り取られ、開封が容易である。
【００７１】
［実施例４］
以下、図面等を参照して、本発明の実施例４について、説明する。実施例４は、現在オフィス並びに家庭で広く利用されているシート給紙の各方式のプリンタにも対応が可能な単票でありながら、片面印字後に人手による簡単な製袋作業で、印字した情報を隠蔽でき、開封作業も非常に容易なるものである。かつ、本発明の単票は、剥離シートの方が大きいため、単票端面より粘着剤のはみ出しがないためにプリンタ内部に粘着剤が付着し、印字トラブルやフィードトラブル等を起こさないものである。
図７は、実施例４の印字情報を隠蔽可能な帳票の実施形態を示す図であり、図８は、実施例４の実施形態による印字情報を隠蔽可能な帳票の使用方法を説明する図である。
この実施例４の印字情報を隠蔽可能な帳票１０ｄは、図７に示すように、基材１１と、基材１１の片面に設けられた粘着剤層１２と、粘着剤層１２に剥離可能に貼り合せられた剥離シート１３とを備えたタックシートを用いて、かす取り加工、ミシン目加工、ハーフカット加工等により、製造する。以下に実施例４の製造方法を説明する。
【００７２】
（１）図示はしないが、基材１１を外巻きロール状タックシートをビジネスフォームの印刷機の給紙部に装着し、ビジネスフォームの印刷機の加工部で、かす取り加工を施す。具体的には、ビジネスフォーム印刷機の加工部に円筒状の抜き刃が装着できる版胴と圧胴により、ハーフカットを入れた後にかす部を巻き上げるかす取り加工を施すことにより、基材面１１より一回り大きい部分１を有する剥離シート面１３が形成される。
（２）さらに、ビジネスフォーム印刷機の加工部で、基材面１１より、左右にハーフ縦ミシン２を入れる。また、折返し部１６の中央には、折返し作業を容易にするための横ミシンを入れる。この横ミシンは、左右の３の部分は、ハーフ横ミシンであり、４の部分は剥離シートまで貫通する横ミシンを入れる。また、下部には、左右に角丸部５を有したハーフ横ミシン６を入れる。
（３）上記（１）から（２）までのかす取り加工及びミシン目加工を連続的に施した後にビジネスフォーム印刷機でシートカットする。
（４）このシートに剥離シート１３の面よりハーフカット加工で、剥離シート１      ３の下方
３面を除去するためのハーフカット加工よりなる分離線１４を入れる。この分離線１４の下側の左右には角丸部７が設けられる。さらに、表出部１７の左右にはハーフ縦ミシン１４ａを入れる。
【００７３】
なお、前記ハーフ縦ミシンとは、縦ミシン刃をタックシートの粘着剤１２までで止めた縦ミシン加工より得られる縦ミシンである。同じく、前記ハーフ横ミシンとは、横ミシン刃をタックシートの粘着剤１２までで止めた横ミシン加工より得られる横ミシンである。また、前記ハーカットとは、抜き刃を粘着剤１２までで止めた抜き加工である。
【００７４】
次に、実施例４による印字情報を隠蔽可能な単票１０ｄの人手による製袋方法、使用方法とともに、細部構成をさらに詳しく説明する。
この帳票１０ｄは、図８（Ａ）に示すように、折返し部１６には、その対向面に給与明細書や勤怠記録などの隠蔽情報を印字する隠蔽情報印字領域Ｘを備えている。
また、折返し部１６を形成した状態で、折返し部１６を除いた表出部１７には、剥離シート１３側に印字した情報の一部が外部から目視可能な、宛名人の氏名など公開情報を印字する第１の公開情報印字領域Ｙ１を備えている。
【００７５】
そして、この隠蔽情報印字領域Ｘと、第１の公開情報印字領域Ｙ１とを、シート給シートのプリンタにより片面印字する（＃４１０１）。
【００７６】
次に、図８（Ｂ）に示すように、剥離シート１３の一部１３ａをハーフカット加工よりなる分離線１４から剥離して（＃４１０２）、粘着剤層１２の一部を表出させた表出粘着部１２ａさせる。このとき、剥離シート面下側部の左右の角丸部７により、剥離シート１３の一部１３ａは、連続状に容易に剥離可能であり、作業性が優れるものである。
【００７７】
さらに、図８（Ｃ）に示すように、この表出粘着部１２ａを含む部分を所定の位置で、剥離シート１３が内側となるように折返して、折返し部１６の対向面を、表出粘着部１２ａで貼り合わせて封緘して（＃４１０３）、封筒１０ｄＡを作製する。
【００７８】
封筒１０ｄＡは、図８（Ｄ）に示すように、第１の公開情報印字領域Ｙ１の宛名情報に基づいて、配布される（＃４１０４）。
【００７９】
開封時には、左右に縦ミシン目による開封用分離線１５ｂが形成されるので、図８（Ｅ）に示すように、左右の縦ミシン目による開封用分離線１５ｂで、左右の不要部１８を容易に分離することで開封が可能であり（＃４１０５）、折返し部１６の内側の隠蔽情報印字領域Ｘに印字された給与明細書等の隠蔽情報を確認することができる。
【００８０】
このように、実施例４によれば、以下のような効果がある。
（１）基材１１と剥離シート１３の二枚の用シートが粘着剤層１２で貼り合わされたタックシートを使用する構成であるため、生産性が高く、しかも、シート供給のプリンタのカセット内での形態が安定するほか、粘着剤の端面よりのはみ出しがないため、プリンタにフィード機構部への粘着剤の端面より付着によるフィードトラブルや印字トラブルがなく印字適性が高い。
（２）剥離シートの左右両側と下側の三辺の周縁部に剥離シート１３の一部を除去する分離線１４が設けられ、かつ、下側の左右二辺には角丸部７になっており、剥離シートを連続して容易に剥離し、剥離シート１３の印字面（隠蔽情報印字領域Ｘ）を内側へ折り畳みことによって、封緘して、製袋できる。
（３）製袋作業時には、折返し部１６に隠蔽情報に関連する金銭、小切手、クーポン券又は商品券に代表される金券類等も封入することが可能である。
（４）左右の縦ミシン目による開封用分離線１５ｂにより、左右の不要部１８が容易に切り取られるため、開封が容易である。
【００８１】
［実施例５］
以下、図面等を参照して、本発明の実施例５の形態について、説明する。実施例５は、現在オフィス並びに家庭で広く利用されているシート給紙の各方式のプリンタにも対応が可能な単票でありながら、片面印字後に人手による簡単な製袋作業で、印字した情報を隠蔽でき、開封作業も非常に容易なるものである。かつ、本発明の単票は、剥離シートの方が大きいため、単票端面より粘着剤のはみ出しがないためにプリンタ内部に粘着剤が付着し、印字トラブルやフィードトラブル等を起こさないものである。
図９は、実施例５の印字情報を隠蔽可能な帳票の実施形態を示す図であり、図１０は、実施例５の印字情報を隠蔽可能な帳票の使用方法を説明する図である。
この実施例５の印字情報を隠蔽可能な帳票１０ｅは、図９に示すように、基材１１と、基材１１の片面に設けられた粘着剤層１２と、粘着剤層１２に剥離可能に貼り合せられた剥離シート１３とを備えたタックシートを用いて、かす取り加工、ミシン目加工、ハーフカット加工等により製造する。以下に実施例５の製造方法を説明する。
【００８２】
（１）図示はしないが、基材１１を外巻きロール状タックシートをビジネスフォームの印刷機の給紙部に装着し、ビジネスフォームの印刷機の加工部で、かす取り加工を施す。
具体的には、ビジネスフォーム印刷機に加工部の円筒状の抜き刃が装着できる版胴と圧胴により、ハーフカットを入れた後にかす部を巻き上げるかす取り加工を施すことにより、基材面１１より一回り大きい部分１を有する剥離シート面１３が形成される。
（２）さらに、ビジネスフォーム印刷機の加工部で、基材面１１より、左右にハーフ縦ミシン２を入れる。また、折返し部１６の中央には、折返し作業を容易にするための横ミシンを入れる。この横ミシンは、左右の３の部分は、ハーフ横ミシンであり、４の部分は剥離シートまで貫通する横ミシンを入れる。また、下部には、左右に角丸部５ａを有したハーフ横ミシン６を入れる。
（３）上記（１）から（２）までのかす取り加工及びミシン目加工を連続的に施した後にビジネスフォーム印刷機でシートカットする。
（４）このシートに剥離シート１３の面よりハーフカット加工で、剥離シート１      ３の下方
三面を除去するためのハーフカット等よりなる分離線１４を入れる。この分離線１４の下側の左右には角丸部７が設けられる。また、このハーフカット加工では、折返し部１６の上辺は、基材まで貫通する横ミシン８を入れ、さらに、折返し部１６の上辺左右の角丸部には、基材まで貫通する切り込み９を入れる。
【００８３】
なお、前記ハーフ縦ミシンとは、縦ミシン刃をタックシートの粘着剤１２までで止めた縦ミシン加工より得られる縦ミシンである。同じく、前記ハーフ横ミシンとは、横ミシン刃をタックシートの粘着剤１２までで止めた横ミシン加工より得られる横ミシンである。
また、前記ハーカット加工とは、抜き刃を粘着剤１２までで止めた抜き加工である。
【００８４】
次に、実施例５による印字情報を隠蔽可能な単票１０ｅの人手による製袋方法、使用方法とともに、細部構成をさらに詳しく説明する。
この帳票１０ｅは、図１０（Ａ）に示すように、折返し部１６には、その対向面に給与明細書や勤怠記録などの隠蔽情報を印字する隠蔽情報印字領域Ｘを備えている。
また、折返し部１６を形成した状態で、折返し部１６を除いた表出部１７には、剥離シート１３側に印字した情報の一部が外部から目視可能な、宛名人の氏名など公開情報を印字する第１の公開情報印字領域Ｙ１を備えている。
【００８５】
そして、この隠蔽情報印字領域（Ｘ）と、第１の公開情報印字領域Ｙ１とを、シート給シートのプリンタにより片面印字する（＃５１０１）。
【００８６】
次に、図１０（Ｂ）に示すように、剥離シート１３の一部１３ａをハーフカット等よりなる分離線１４から剥離して（＃５１０２）、粘着剤層１２の一部を表出させた表出粘着部１２ａさせる。このとき、単票の下側部左右の角丸部により、剥離シート１３の一部１３ａは、連続状に容易に剥離可能であり、作業性が優れるものである。
【００８７】
さらに、図１０（Ｃ）に示すように、この表出粘着部１２ａを含む部分を所定の位置で、剥離シート１３が内側となるように折返して折返し部１６を形成し、折返し部１６の対向面を、表出粘着部１２ａで貼り合わせて封緘して（＃５１０３）、封筒１０ｅＡを作製する。
【００８８】
封筒１０ｅＡは、図１０（Ｄ）に示すように、第１の公開情報印字領域Ｙ１の宛名情報に基づいて、配布される（＃５１０４）。
【００８９】
開封時には、角丸を有する開封用ミシン目を主体とする開封用分離線１５が形成されているので、図１０（Ｅ）に示すように、開封用ミシン目を主体とする開封用分離線１５で連続的に容易に開封可能であり（＃５１０５）、折返し部１６の内側の隠蔽情報印字領域（Ｘ）に印字された給与明細書等の隠蔽情報を確認することができる。
【００９０】
このように、実施例５によれば、以下のような効果がある。
（１）基材１１と剥離シート１３の二枚の用シートが粘着剤層１２で貼り合わされたタックシートを使用する構成であるため、生産性が高く、しかも、シート供給のプリンタのカセット内での形態が安定するほか、粘着剤の端面よりのはみ出しがないため、プリンタにフィード機構部への粘着剤の端面より付着によるフィードトラブルや印字トラブルがなく印字適性が高い。
（２）剥離シートの左右両側と下側の三辺の周縁部に剥離シート１３の一部を除去する分離線１４が設けられ、かつ、下側の左右二辺には角丸部７になっており、剥離シートを連続して容易に剥離し、剥離シート１３の印字面（隠蔽情報印字領域Ｘ）を内側へ折り畳みことによって、封緘して、製袋できる。
（３）製袋作業時には、折返し部１６に隠蔽情報に関連する金銭、小切手、クーポン券又は商品券に代表される金券類等も封入することが可能である。
（４）角丸を有する開封用ミシン目を主体とする開封用分離線１５であり、コーナー部が角丸になっているため、連続して不要部が容易に切り取られ、開封が容易である。
【００９１】
［実施例６］
以下、図面等を参照して、本発明の実施例６について、説明する。実施例６は、現在オフィス並びに家庭で広く利用されているシート給紙の各方式のプリンタにも対応が可能な単票でありながら、片面印字後に人手による簡単な製袋作業で、印字した情報を隠蔽でき、開封作業も非常に容易なるものである。かつ、本発明の単票は、剥離シートの方が大きいため、単票端面より粘着剤のはみ出しがないためにプリンタ内部に粘着剤が付着し、印字トラブルやフィードトラブル等を起こさない。かつ、製袋時に折返し部の上下に基材部がなく、剥離シートに横ミシンが入っているのみなので、折りやすく、製袋作業が容易であるとの顕著なる効果がある。
図１１は、実施例６の印字情報を隠蔽可能な帳票１０ｆの実施形態を示す図であり、図１２は、実施例６の印字情報を隠蔽可能な帳票１０ｆの使用方法を説明する図である。
この実施例６の印字情報を隠蔽可能な帳票１０ｆは、図１１に示すように、基材１１と、基材１１の片面に設けられた粘着剤層１２と、粘着剤層１２に剥離可能に貼り合せられた剥離シート１３とを備えたタックシートを用いて、かす取り加工、ミシン目加工、ハーフカット加工等により、製造する。以下に実施例６の製造方法を説明する。
【００９２】
（１）図示はしないが、基材１１を外巻きロール状タックシートをビジネスフォームの印刷機の給紙部に装着し、ビジネスフォームの印刷機の加工部で、かす取り加工を施す。
具体的には、ビジネスフォーム印刷機の加工部に円筒状の抜き刃が装着できる版胴と圧胴により、ハーフカットを入れた後にかす部を巻き上げるかす取り加工を施す。すなわち、基材面１１より一回り大きい部分１を有する剥離シート面１３及び折返し部１６の上下で分離している基材１１ａと基材１１ｂが形成される。
（２）さらに、ビジネスフォーム印刷機の加工部で、基材面１１より、剥離シート面１３の折返し部中央に横ミシンを入れる横ミシン加工部２０を形成する。なお、この剥離シート面中央の横ミシン加工部２０は、左右の部分には横ミシンを入れない剥離シート面折返し部左右の横ミシン未加工部１９を形成する。
（３）上記（１）から（２）までのかす取り加工及びミシン目加工を連続的に施した後にビジネスフォーム印刷機でシートカットする。
（４）このシートに剥離シート１３の面よりハーフカット加工で、剥離シート１      １の下方
三面を除去するためのハーフカット加工よりなる分離線１４を入れる。この分離線１４の下側の左右には角丸部７が設けられる。さらに、表出部１７の左右にはハーフ縦ミシン１４ａを入れる。
【００９３】
なお、前記ハーフ縦ミシンとは、縦ミシン刃をタックシートの粘着剤１２までで止めた縦ミシン加工より得られる縦ミシンである。同じく、前記ハーフ横ミシンとは、横ミシン刃をタックシートの粘着剤１２までで止めた横ミシン加工より得られる横ミシンである。
また、前記ハーカットとは、抜き刃を粘着剤１２までで止めた抜き加工である。
【００９４】
さらに、実施例１から実施例６に記載のシートは、紙にとらわれることなく、合成樹脂による合成紙やフィルムシートを含むものである。
【００９５】
次に、実施例６による印字情報を隠蔽可能な単票１０ｆの人手による製袋方法、使用方法とともに、細部構成をさらに詳しく説明する。
この帳票１０ｆは、図１２（Ａ）に示すように、折返し部１６には、その対向面に給与明細書や勤怠記録などの隠蔽情報を印字する隠蔽情報印字領域Ｘを備えている。
また、折返し部１６を形成した状態で、折返し部１６を除いた表出部１７には、剥離シート１３側に印字した情報の一部が外部から目視可能な、宛名人の氏名など公開情報を印字する第１の公開情報印字領域Ｙ１を備えている。
【００９６】
そして、この隠蔽情報印字領域Ｘと、第１の公開情報印字領域Ｙ１とを、シート給シートのプリンタにより片面印字する（＃５１０１）。
【００９７】
次に、図１２（Ｂ）に示すように、剥離シート１３の一部１３ａをハーフカット加工よりなる分離線１４から剥離して（＃５１０２）、粘着剤層１２の一部を表出させた表出粘着部１２ａさせる。このとき、剥離シート面下側部の左右の角丸部７により、剥離シート１３の一部１３ａは、連続状に容易に剥離可能であり、作業性が優れるものである。
【００９８】
さらに、図１２（Ｃ）に示すように、この表出粘着部１２ａを含む部分を所定の位置で、剥離シート１３が内側となるように折返して、折返し部１６の対向面を、表出粘着部１２ａで貼り合わせて封緘して（＃５１０３）、封筒１０ｆＡを作製する。
【００９９】
封筒１０ｆＡは、図１２（Ｄ）に示すように、第１の公開情報印字領域Ｙ１の宛名情報に基づいて、配布される（＃５１０４）。
【０１００】
開封時には、左右に縦ミシン目による開封用分離線１４ａが形成されるので、図１２（Ｅ）に示すように、左右の縦ミシン目による開封用分離線１４ａで、左右の不要部を容易に分離することで開封が可能であり（＃５１０５）、折返し部１６の内側の隠蔽情報印字領域Ｘに印字された給与明細書等の隠蔽情報を確認することができる。
【０１０１】
このように、実施例６によれば、以下のような効果がある。
（１）基材１１と剥離シート１３の二枚の用シートが粘着剤層１２で貼り合わされたタックシートを使用する構成であるため、生産性が高く、しかも、シート供給のプリンタのカセット内での形態が安定するほか、粘着剤の端面よりのはみ出しがないため、プリンタにフィード機構部への粘着剤の端面より付着によるフィードトラブルや印字トラブルがなく印字適性が高い。
（２）剥離シートの左右両側と下側の三辺の周縁部に剥離シート１３の一部を除去する分離線１４が設けられ、かつ、下側の左右二辺には角丸部７になっており、剥離シートを連続して容易に剥離し、剥離シート１３の印字面（隠蔽情報印字領域Ｘ）を内側へ折り畳みことによって、封緘して、製袋できる。なお、折返し部１６の上下で、基材１１ａと基材１１ｂが分離しているため、折返し作業が容易である。
（３）製袋作業時には、折返し部１６に隠蔽情報に関連する金銭、小切手、クーポン券又は商品券に代表される金券類等も封入することが可能である。
（４）左右の縦ミシン目による開封用分離線１４ａにより、左右の不要部１８が容易に切り取られるため、開封が容易である。
【産業上の利用可能性】
【０１０２】
本発明は、現在オフィス、家庭等で広く利用されているシート給シートの各方式のプリンタでも、対応が可能な単票でありながら、片面印字後に特別な機械を必要とすることなく人手による簡単な製袋作業で、印字した情報を隠蔽でき、かつ、必要に応じて金銭等も封入することが可能である。さらに、開封作業も非常に容易なるものである。
このため、ビジネスユースを中心に説明したが、本発明はこれに限定されることなく、ホームユースでも利用が可能であるため、多方面の利用が期待できる。
【図面の簡単な説明】
【０１０３】
【図１】実施例１による印字情報を隠蔽可能な帳票の実施形態を示す図。
【図２】実施例１による印字情報を隠蔽可能な帳票の使用方法を説明する図。
【図３】実施例２による印字情報を隠蔽可能な帳票の実施形態を示す図。
【図４】実施例２による印字情報を隠蔽可能な帳票の使用方法を説明する図。
【図５】実施例３による印字情報を隠蔽可能な帳票の実施形態を示す図。
【図６】実施例３による印字情報を隠蔽可能な帳票の使用方法を説明する図。
【図７】実施例４による印字情報を隠蔽可能な帳票の実施形態を示す図。
【図８】実施例４による印字情報を隠蔽可能な帳票の使用方法を説明する図。
【図９】実施例５による印字情報を隠蔽可能な帳票の実施形態を示す図。
【図１０】実施例５による印字情報を隠蔽可能な帳票の使用方法を説明する図。
【図１１】実施例６による印字情報を隠蔽可能な帳票の実施形態を示す図。
【図１２】実施例６による印字情報を隠蔽可能な帳票の使用方法を説明する図。
【符号の説明】
【０１０４】
１      剥離シート部が基材部より一回り大きい部分
２      基材面よりのハーフ縦ミシン
３      折返し部左右のハーフ横ミシン
４      折返し部中央の横ミシンの貫通部
５      基材面下部の角丸部
５ａ    基材面下部のハーフミシンよりなる角丸部
６      基材面下部のハーフ横ミシン
７      剥離シート面の分離線の下側の角丸部
８      折返し部と上辺の横ミシンの貫通部
９      折返し部と上辺の基材まで貫通する切り込みの角丸部
１０ａ  実施例１の印字情報を隠蔽可能な帳票
１０ｂ  実施例２の印字情報を隠蔽可能な帳票
１０ｃ  実施例３の印字情報を隠蔽可能な帳票
１０ｄ  実施例４の印字情報を隠蔽可能な帳票
１０ｅ  実施例５の印字情報を隠蔽可能な帳票
１０ｆ  実施例６の印字情報を隠蔽可能な帳票
１１    基材
１２    粘着剤層
１３    剥離シート
１４    分離線
１４ａ  表出部の左右のハーフ縦ミシン
１４ｂ  縦ミシン目による開封分離線
１５    開封用ミシン目を主体とする開封用分離線
１５ａ  開封用ミシン目による開封用分離線
１５ｂ  縦ミシン目による開封用分離線
１６    折返し部
１７    表出残部
１８    不要部
１９    剥離シート面折返し部左右の横ミシン未加工部
２０    剥離シート面折返し部中央の横ミシン加工部
Ｘ      隠蔽情報印字領域
Ｙ１    第１の公開情報印字領域
Ｙ２    第２の公開情報印字領域
【図１】
2006021324.tif 000003
【図２】
2006021324.tif 000004
【図３】
2006021324.tif 000005
【図４】
2006021324.tif 000006
【図５】
2006021324.tif 000007
【図６】
2006021324.tif 000008
【図７】
2006021324.tif 000009
【図８】
2006021324.tif 000010
【図９】
2006021324.tif 000011
【図１０】
2006021324.tif 000012
【図１１】
2006021324.tif 000013
【図１２】
2006021324.tif 000014